(57)【特許請求の範囲】
【請求項１】
所定地内に張った水面上に台船を浮設し、その台船上にロール状シートを積み込み、台船の片側にガイドワイヤーを取り付け、台船引きワイヤーを移動体に取り付けた滑車を介してウインチに連結して、ガイドワイヤーを繰り出しながら、ウインチにより台船引きワイヤーで巻き取って台船を対岸へ引き込みながらシートを敷設した後、台船を次のシート敷設位置に移動し、ガイドワイヤーにワイヤー引込枠を連結し、ワイヤー引込枠にウインチからの台船引きワイヤーを移動体の上記滑車を介して連結して、台船にワイヤー引込枠を引き寄せて固定した後、台船を前記と同様の手順で対岸に引き込みながらシートを敷設することを繰り返す所定地へのシート敷設方法。
【請求項２】
所定地を埋立地とする請求項１記載のシート敷設方法。
【請求項３】
移動体としてバックホウを使用した請求項１又は２記載のシート敷設方法。
【発明の詳細な説明】
【０００１】
【発明の属する技術分野】
本発明は、例えば地盤が軟弱で直接埋立土砂を敷設すると安定した埋立ができないために、その埋立地の底部にシートを敷設して、埋立土砂の敷設時の荷重を分散させたり、又は埋立地に遮水シートを敷設させる際に適用できるシート敷設方法に関する。
【０００２】
【従来の技術】
従来、例えば埋立地に対して前記ごとく、シートを敷設して、埋立土砂敷設時の荷重を分散させて安定した埋立を行なわせたり、遮水シートとしての機能を持たせることが行なわれているが、埋立地の底部にシートを正確なオーバラップ幅を保持させながら適切な敷設位置に敷設施工させることは、高度な熟練を要すると共に、その施工能率の向上をはかることは非常に困難であった。
【０００３】
【発明が解決しようとする課題】
本発明は、例えば埋立地内に水を張り、その水面上にロール状のシートを積み込んだ台船を、バックホウに取り付けた滑車を介してウインチで台船を引き寄せることにより、その台船を確実にそのシートの敷設位置に移動させて、シート敷設を行なうことで、その敷設施工の能率を向上でき、しかもバックホウに取り付けた滑車により位置の微調整を行なうことで、正確な敷設位置にシートの敷設施工が可能なシート敷設方法を提供する。
【０００４】
【課題を解決するための手段】
本発明は、所定地内に張った水面上に台船を浮設し、その台船上にロール状シートを積み込み、台船の片側にガイドワイヤーを取り付け、台船引きワイヤーを移動体に取り付けた滑車を介してウインチに連結して、ガイドワイヤーを繰り出しながら、ウインチにより台船引きワイヤーで巻き取って台船を対岸へ引き込みながらシートを敷設した後、台船を次のシート敷設位置に移動し、ガイドワイヤーにワイヤー引込枠を連結し、ワイヤー引込枠にウインチからの台船引きワイヤーを移動体の上記滑車を介して連結して、台船にワイヤー引込枠を引き寄手せて固定した後、台船を前記と同様の手順で対岸に引き込みながらシートを敷設することを繰り返す所定地へのシート敷設方法からなり、さらにその場合、所定地を埋立地としたり、また移動体としてバックホウを使用するシート敷設方法からなる。
【０００５】
【発明の実施の形態】
以下図面を参照して本発明のシート敷設方法を適用した一実施形態のシート敷設手順を説明する。
まず、図１において、埋立地１内に図２以下に示すネット状のシート２を敷設するために水を張り、この水面上にシート敷設用の台船３を図１のごとくトラッククレーン４等を使用して組み立てる。なお、この発明の実施の形態では、水面上において組み立て可能な台船３を現場組み立てするようにしているが、この台船３が大型トレーラ等で運搬可能な場合には、その台船３をトラッククレーン４等で直接水面上に浮設してもよい。
【０００６】
次に、陸上ヤード等において、適切な寸法のロール状に巻き取ったロール状シートを運搬用トラック５で運送してきて、トラッククレーン４等で台船３上に積み込む。
さらに、この台船３の片側には図５及び図６に示すごとく、３角形状の出っ張り部材６を取り付け、その下にブイ１７を設けた。その出っ張り部材６に図２のごとくガイドワイヤー７を取り付けるが、このガイドワイヤー７は、図３に示すごとく台船３を次のシートの敷設位置まで移動時のセンターになるようにその出っ張り部材６に取り付ける。
【０００７】
図２の状態で、台船３に端部を取り付けた２本の台船引きワイヤー８を、それぞれバックホウ９に取り付けた図９に示すような滑車１０を介してそれぞれの固定ウインチ１１に連結して、可動ウインチ１４からガイドワイヤー７を矢印Ａ方向に繰り出しながら固定ウインチ１１で台船引きワイヤー８を巻き取って、台船３を矢印Ａ方向の対岸に引込みながら、シート２を図示せるごとく敷設する。  上記の滑車１０は、図９に図示されていないバックホウ９のアーム等に設けられたバケット１２に、例えば長さ約１ｍのワイヤー１３を介して取り付けられており、バックホウ９の位置及びそのアーム等を操作させることによりその滑車１０の位置や方向を容易に微調整できるようになっており、上記のワイヤー１３は滑車１０の上下方向に多少のフレキシブルを与えうることになる。
【０００８】
次に、図３に示すごとく台船３を次のシート敷設位置までバッホウ９により矢印Ｈ方向に移動し、ガイドワイヤー７に、図７及び図８に示すような発泡スチロール１９付きのワイヤー引込枠１５を連結し、ワイヤー引込枠１５に固定ウインチ１１で台船引きワイヤー８をバックホウ９に取り付けた滑車１０を介して連結し、台船３に可動ウインチ１４によりワイヤー引込枠１５を矢印Ｂ方向に引き寄せて固定する。
【０００９】
なお、図３に示す２台のバックホウ９は図２に示す対岸から移動させてもよい。
次に、図４に示すごとく、台船３を２台の固定ウインチ１１でバックホウ９に取り付けられた滑車１０を介して台船引ワイヤー８を巻き取って矢印Ｃ方向に対岸へ引き込みながらシート２を敷設し、その間ガイドワイヤー７は可動ウインチ１４から繰り出される。
【００１０】
以上図２、図３及び図４で説明した各作業手順を繰り返すことにより、埋立地１の全面にシート２を敷設するものであるが、図２から図３の両側に設けられた各固定ウインチ１１及び移動ウインチ１４は発電機１８により発電される電力により駆動されるものとする。
【００１１】
【発明の効果】
以上に説明した本発明の、例えば埋立地へのシートの敷設方法によれば、埋立地内に張った水面上に組み立てた台船を配置し、それにロール状シートを積込んでおき、台船をバックホウに取付けた滑車を介してウインチで引き寄せることにより、その台船が確実にそのシートの敷設位置に移動しながらシート敷設を行なうので、シート敷設施工の能率を向上できる。
【００１２】
しかも本発明では、バックホウに取付けた滑車を介して台船引きワイヤーをウインチにより巻取って台船を引込みながらシート敷設を行なう際に滑車の位置の微調整が容易にでき、正確、かつ適確な位置にシートの敷設施工を行なうことができる。
【図面の簡単な説明】
【図１】本発明の埋立地へのシート敷設方法を適用した一実施形態のシート敷設手順を説明する台船組立状況の平面図である。
【図２】図１に続くシート敷設状況の平面図である。
【図３】図２に続く台船の横移動及びワイヤー引込み状況の平面図である。
【図４】図３に続くシート敷設状況の平面図である。
【図５】図２の台船の拡大平面図である。
【図６】図５の側面図である。
【図７】図３のワイヤー引込枠の拡大平面図である。
【図８】図７の側面図である。
【図９】図２のバックホウのバケットに取り付けた滑車の要部拡大の斜視図である。
【符号の説明】
１  埋立地                    ２  シート
３  台船                      ７  ガイドワイヤー
８  台船引きワイヤー          ９  バックホウ
１０  滑車                    １５  ワイヤー引込枠
【図１】
0003998312.tif 000002
【図２】
0003998312.tif 000003
【図３】
0003998312.tif 000004
【図４】
0003998312.tif 000005
【図５】
0003998312.tif 000006
【図６】
0003998312.tif 000007
【図７】
0003998312.tif 000008
【図８】
0003998312.tif 000009
【図９】
0003998312.tif 000010